(57)【特許請求の範囲】
【請求項１】
背凭れ部に設けた開口部に押圧施療を施す施療子を収納し、シート材を背凭れ部の前面に開口部を覆うように配置し、枕部を背凭れ部にその上下位置を設定可能にして配置し、シート材の下端部を背凭れ部の下端部に固定すると共に、シート材の上端部を枕部に固定し、シート材は、枕部の上方位置及び下方位置において開口部を覆う状態で背凭れ部の前面に露出し、枕部の上下位置に応じて張力が可変に設定されるものであることを特徴とする椅子式マッサージ機。
【発明の詳細な説明】
【技術分野】
【０００１】
本発明は、椅子式マッサージ機に関するものである。
【背景技術】
【０００２】
従来から、背凭れ部に設けた開口部に押圧施療を施す施療子を収納して成る椅子式マッサージ機は、マッサージ施療を施さない状態で通常の椅子として利用できるという利点がある。しかしながら、一般に背凭れ部はそのカバー材が開口部を覆うだけであって、使用者が背凭れ部に背中を凭れかけたときには、開口部に位置する施療子がカバー材越しに使用者の背中に当ってしまい、良好な座り心地を得ることができないという問題がある。
【０００３】
たとえば特許文献１のように開口部に膨縮する空気袋を配置する提案も為されているが、空気袋は開口部の施療子以外の部位で膨らむのであって背中に施療子が当ることを有効に防止できるものではなく、また膨らんだ空気袋は使用者の背中に当てるべく背凭れ部の前方に部分的に大きく張り出すようになって着座した使用者に違和感を与えるのであり、その座り心地は良好とは言い難いものであった。
【特許文献１】特開昭６３−３１６６３号公報
【発明の開示】
【発明が解決しようとする課題】
【０００４】
本発明は上記の点に鑑みてなされたものであり、その目的とするところは、マッサージ施療を施さない状態において良好な座り心地を確保できる椅子式マッサージ機を提供することを課題とするものである。
【課題を解決するための手段】
【０００５】
上記課題を解決するために請求項１に係る発明にあっては、背凭れ部３に設けた開口部７に押圧施療を施す施療子９を収納し、シート材１２を背凭れ部３の前面に開口部７を覆うように配置し、枕部１０を背凭れ部３にその上下位置を設定可能にして配置し、シート材１２の下端部を背凭れ部３の下端部に固定すると共に、シート材１２の上端部を枕部１０に固定し、シート材１２は、枕部１０の上方位置及び下方位置において開口部７を覆う状態で背凭れ部３の前面に露出し、枕部１０の上下位置に応じて張力が可変に設定されるものであることを特徴とする。
【０００６】
これによると、マッサージ施療を施さない際には、シート材１２の張力を強めに設定することで、該シート材１２によって施療子９の前方位置で背凭れ部３に凭れかけた背中を支持させて、背中を開口部７内に落ち込ませないようにして施療子９が背中に当接しないようにできる。しかも、シート材１２は張力変化に応じて張る・たるむ程度の形状変化を伴うだけであって背凭れ部３の前面に形状変化をほとんど生じさせないようにできる。したがって、着座した使用者は違和感を感ずることはなく良好な座り心地を得ることができる。
【発明の効果】
【００１０】
本発明にあっては、マッサージ施療を施さない状態において良好な座り心地を確保できる、という利点を有する。
【発明を実施するための最良の形態】
【００１１】
以下、本発明を添付図面に示す実施形態に基いて説明する。
【００１２】
本例の椅子式マッサージ機１は、図１（ａ）のように、座部２の後側に背凭れ部３が、前側に脚載せ台４がそれぞれ傾倒自在に配設され、座部２の左右には肘掛部５が配設されている。
【００１３】
背凭れ部３は、図１（ｂ）のように、左右に背受け部６が配設され、その間に上下に亙る開口部７が設けられており、この開口部７内には機械式の施療装置８が上下に移動可能に収納されている。施療装置８は、背凭れ部３に凭れかけた使用者の背中に対して押圧施療を施すための施療子９が前方に突設されている。なお、この施療子９はマッサージ施療時に施療装置８に備わる駆動手段にて動作されるのであるが、少なくともマッサージ施療を施さない状態では開口部７内に収まるように位置されている。
【００１４】
また、背凭れ部３の上部の前面には、図２，３のように、その左右に亙るように使用者の頭部を支持する枕部１０が重ねて配置されている。また、背凭れ部３は、開口部７や施療装置８を外観に露出させないように皮や布地等のシートで構成したカバー材１１で覆われている。
【００１５】
ここで、背凭れ部３の前面には、開口部７を覆うように、伸縮性を有するシート材１２が張力を可変に設定して配置されている。このシート材１２は、その下端部が背凭れ部３の下端部に縫い付け等で固定されており、図４のようにカバー材１１とは別個のもので構成してカバー材１１の前方に重ねて配置してもよいが、本例ではカバー材１１における背凭れ部３の前面被覆部分で構成されている。なお、図４では二点鎖線によって開口部７に位置するカバー材１１の前面ラインを示している。
【００１６】
シート材１２の張力を可変に設定する手段（張力設定手段）として、本例では図２，３のように、シート材１２の上端部を固定した枕部１０が、その上下位置を設定可能にして背凭れ部３にスライド自在に配置されている。詳しくは、枕部１０は背凭れ部３の前面上部から上面にかけてスライド自在に配設されており、この枕部１０と背凭れ部３との間にはスライド・ロック機構１３が介装されている。つまり、枕部１０の上端にはロック棒１４が設けられ、背凭れ部３の上面にはラック１５が設けられ、ラック１５には上記スライド方向に複数の溝１５ａが連設されており、この複数の溝１５ａのうち任意の溝１５ａを選択してロック棒１４を係合させることで、図２，３のように枕部１０の上下方向の配置位置を違えて設定可能にされている。
【００１７】
シート材１２の上端部は枕部１０の裏面に固定されているが（固定部位はａで示す）、図３のようにスライド・ロック機構１３にて枕部１０が上方位置に配置されると、該固定されたシート材１２の上端部も上方に引き上げられ、シート材１２が突っ張った状態となり、すなわち張力が強まった状態となる。一方、スライド・ロック機構１３にて枕部１０が下方位置に配置されると、図２のように該固定されたシート材１２の上端部も下方に下がり、シート材１２がたるんだ状態となり、すなわち張力が弱まった状態となる。なお、図では一点鎖線によって使用者が凭れた際の開口部７に位置するシート材１２の前面ラインを示している。
【００１８】
マッサージ施療を施さない際には、シート材１２の張力を強めに設定することで、図１（ｃ）のように、突っ張った状態のシート材１２によって施療子９の前方位置（開口部７の開口縁付近）で背凭れ部３に凭れかけた背中を支持させることができ、つまり背中を開口部７内に落ち込ませないようにして、施療子９が背中に当接しないようにできる。ここで、シート材１２は張力変化に応じて張る・たるむ程度の形状変化を伴うだけであって、つまり従来技術のように空気袋が背凭れ部３の前方に部分的に大きく張り出すようなこともなく、背凭れ部３の前面には形状変化がほとんど生じない。したがって、着座した使用者は違和感を感ずることなく良好な座り心地を得ることができる。
【００１９】
なお、マッサージ施療を施す際には、シート材１２の張力を弱めに設定することで、使用者の背中を開口部７内に落ち込ませると共に施療子９をたるんだ状態のシート材１２越しに使用者の背中に当てるようにできるから、良好なマッサージ施療も確保されている。
【００２０】
更に言うと、上記のようにシート材１２の張力を可変にすることは、使用者の背中の開口部７内への落ち込み量を可変にできるものであり、つまりマッサージ施療を施す際の背中への施療子９の押圧強さを可変にできるものであるから、張力設定手段を施療の強弱調節に用いることもできる。
【００２１】
以下、実施の形態の他例を列挙する。これら諸例は張力設定手段を変更したものであり、先例と同様部位には同符号を付して説明を省き、異なる部分につき説明をする。
【００２２】
図５の例では、枕部１０を背凭れ部３に枢支してその傾き角度を設定可能にして配置してある。詳しくは、枕部１０はその上端部が背受け部６の上端部に枢支されて背凭れ部３に対して前後方向に傾き自在にして配置されており、この枕部１０と背凭れ部３との間にはラチェット機構１６が介装されている。つまり、枕部１０の上端部にはラック１７が設けられ、背凭れ部３には爪１８が設けられ、ラック１７には上記スライド方向に複数のラチェット歯１７ａが連設されており、この複数の歯１７ａのうち任意の歯１７ａを選択して爪１８を係合させることで、図５（ａ）（ｃ）のように枕部１０の傾き角度を違えて設定可能にされている。
【００２３】
ここで、本例の枕部１０は、回動先端である下端部位が背凭れ部３から離間できる程度の自己保形性を備えるため、内部にフレームが設けられている。なお、枕部１０の左右中央部は背凭れ部３の開口部７を覆う箇所であるが、この箇所はフレームは存在せずにクッション材のみで構成されている。枕部１０に頭を凭れかけると、クッション材が変形して頭は後方へ落込むが、この頭は枕部１０の裏面に上端部を固定したシート材１２にて支持されるようになっている。なお、シート材１２の上端部は、枕部１０の傾き変化によって位置が前後又は上下に変化する部位、すなわち枕部１０における背凭れ部３への枢支部分以外の部位に固定すればよい。
【００２４】
この例では、図５（ｃ）のように、枕部１０の回動先端（下端部）を背凭れ部３から離間させるように傾けることで、枕部１０に固定したシート材１２の上端部が前斜め上方へ持ち上げられるのであり、シート材１２が突っ張った状態となり、すなわち張力が強まった状態となる。したがって、先例同様に、マッサージ施療を施さない際には、シート材１２の張力を強めに設定することで、突っ張った状態のシート材１２によって施療子９の前方位置で背凭れ部３に凭れかけた背中を支持させることができ、施療子９が背中に当接しないようにできるため（図１（ｃ）参照）、着座した使用者は違和感を感ずることなく良好な座り心地を得ることが可能になっている。
【００２５】
なお、枕部１０の背凭れ部３への枢支部位は、本例では枕部１０の上端部に設けてあるが、枕部１０の下端部等の他部位であってもよい。
【００２６】
また、図６の例では、シート材１２の上端部を背凭れ部３の上部に設けた巻取り装置１９にて巻き取りして保持可能にしてある。詳しくは、巻取り装置１９のシート材１２を巻き付ける巻取り棒２０には巻取り回転方向にのみ回転可能にするラチェット機構２１が設けられており、巻取り棒２０に巻き付けた状態のシート材１２がラチェット機構２１で保持されるようになっている。なお、本例のラチェット機構２１は、背凭れ部３に回転自在に設けた巻取り棒２０に歯車２２が一体に取り付けられ、背凭れ部３に設けた爪２３を歯車２２のラチェット歯２２ａに適宜係合させる機構である。なお、巻取り棒２０は背凭れ部３の側方へ一体に突出させた操作ハンドル２０ａにて回転操作される。
【００２７】
この例では、図６（ｃ）のように、巻取り装置１９にて巻取り棒２０にシート材１２を巻き取ることで、シート材１２が突っ張った状態となり、すなわち張力が強まった状態となる。したがって、先例同様に、マッサージ施療を施さない際には、シート材１２の張力を強めに設定することで、突っ張った状態のシート材１２によって施療子９の前方位置で背凭れ部３に凭れかけた背中を支持させることができ、施療子９が背中に当接しないようにできるため（図１（ｃ）参照）、着座した使用者は違和感を感ずることなく良好な座り心地を得ることが可能になっている。
【図面の簡単な説明】
【００２８】
【図１】本発明の実施の形態の例の椅子式マッサージ機であり、（ａ）は椅子式マッサージ機の枕部を外した状態の側面図であり、（ｂ）は椅子式マッサージ機の更にカバー材を外した状態の正面図であり、（ｃ）は張力を強めた状態のシート材に使用者が凭れた状態を説明する要部の概略断面図である。
【図２】同上の椅子式マッサージ機においてシート材の張力を弱めた状態であり、（ａ）は要部の概略側面図であり、（ｂ）は（ａ）の正面図である。
【図３】同上の椅子式マッサージ機においてシート材の張力を強めた状態であり、（ａ）は要部の概略側面図であり、（ｂ）は（ａ）の正面図である。
【図４】実施の形態の他例の椅子式マッサージ機であり、（ａ）はシート材の張力を弱めた状態の概略側面図であり、（ｂ）はシート材の張力を強めた状態の概略側面図である。
【図５】実施の形態の更に他例の椅子式マッサージ機であり、（ａ）はシート材の張力を弱めた状態の概略側面図であり、（ｂ）は（ａ）の正面図であり、（ｃ）はシート材の張力を強めた状態の概略側面図である。
【図６】実施の形態の更に他例の椅子式マッサージ機であり、（ａ）はシート材の張力を弱めた状態の概略側面図であり、（ｂ）は（ａ）の正面図であり、（ｃ）はシート材の張力を強めた状態の概略側面図である。
【符号の説明】
【００２９】
１  椅子式マッサージ機
３  背凭れ部
７  開口部
９  施療子
１０  枕部
１２  シート材
１９  巻取り装置
【図１】
0005285313.tif 000002
【図２】
0005285313.tif 000003
【図３】
0005285313.tif 000004
【図４】
0005285313.tif 000005
【図５】
0005285313.tif 000006
【図６】
0005285313.tif 000007